(57)【要約】【課題】低コストで製造することができ、支持具にロゴ等の記号を美しく表示することができ、支持具の天地、左右に気を付けなくても容易に組み付けることが可能な把手の提供を課題とする。【解決手段】操作対象の本体Ｓ２に対して外方へ延出して取り付けられる一対の支持具１０，２０の間に棒状の握り部材３０の両端部３０ａ，３０ｂが嵌合されて形成される把手について、支持具１０，２０のそれぞれに、本体Ｓ２から延出する方向Ｄ１に対する外周面であって握り部材３０の長手方向Ｄ２に対して側面となる二面１０ｃ，１０ｄ，２０ｃ，２０ｄのうちの一面１０ｃ，２０ｄにのみ記号１２，２２を表示し、かつ、握り部材３０を隔てて対向する支持具２０，１０と同じ形状とし、支持具１０，２０の延出方向Ｄ１と平行であって握り部材３０の中央部ＣＥ１を通る仮想軸ＡＸ１を中心として記号１２，２２を含めて２回回転対称となるようにする。【選択図】図１
2008183120.tif 000002
【特許請求の範囲】
【請求項１】
操作対象の本体に対して外方へ延出して取り付けられる一対の支持具の間に棒状の握り部材の両端部が嵌合されて形成される把手であって、
前記支持具のそれぞれは、前記本体から延出する方向に対する外周面であって前記握り部材の長手方向に対して側面となる二面のうちの一面にのみ記号が表示され、かつ、前記握り部材を隔てて対向する支持具と同じ形状とされ、
前記支持具の延出方向と平行であって前記握り部材の中央部を通る仮想軸を中心として前記記号を含めて２回回転対称となるようにされたことを特徴とする把手。
【発明の詳細な説明】
【技術分野】
【０００１】
本発明は、操作対象の本体に取り付けられる一対の支持具の間に棒状の握り部材の両端部が嵌合されて形成される把手に関する。
【背景技術】
【０００２】
従来、特許文献１に記載されるように、折れ戸に一対の支持具を左右に取り付け、長手方向を左右に向けた把手を支持具間に設置するとともにその両端部を支持具の凹部に嵌合してなる取っ手が知られている。同取っ手の支持具の対向側部には凹部が設けられるとともに該凹部の中心部に位置して軸部が設けられ、この軸部表面には突起が設けられるとともに軸部の裏側に位置してビス孔が設けられている。一方、把手両端部の端面には穴部が設けられ、把手両端部の裏側部に前記穴部に連通する透孔が設けられている。把手の両端部を支持具の凹部に嵌合し、前記軸部を前記穴部に圧入し、さらに把手の前記透孔より軸部のビス孔に固定ビスを螺入することにより、折れ戸の取っ手が形成される。
【０００３】
また、特許文献２には、握り部と前記握り部の両端に設けられた支柱部とを有し、前記握り部と前記支柱部とが中空縦長部材の両端を折り曲げて一体に形成されている金属製取手が記載されている。
【特許文献１】実開昭６１−１６１３６２号公報
【特許文献２】特開２００５−３３６７０８号公報
【発明の開示】
【発明が解決しようとする課題】
【０００４】
上述した従来技術は支持具にロゴ（ロゴタイプ）等の記号を表示するものではなく、支持具に記号を刻印等により表示する際に美しく表示する技術が無かった。
また、特許文献１に記載の支持具に記号を表示すると、左右の支持具が別部品になり、取っ手の製造コストが高くなってしまう。さらに、支持具を天地逆、左右逆に取り付けてしまうという不具合が生じることがあるので、支持具の取付に際しては天地左右の向きに気を付けなければならない。
特許文献２に記載の金属製取手では、握り部の長さを変える際に取手全体を変更する必要があるため、製造コストが高くなってしまう。
【０００５】
本発明は、上記課題に鑑みてなされたもので、低コストで製造することができ、支持具にロゴ等の記号を美しく表示することができ、支持具の天地、左右に気を付けなくても容易に組み付けることが可能な把手の提供を目的とする。
【課題を解決するための手段】
【０００６】
上記目的を達成するため、本発明は、操作対象の本体に対して外方へ延出して取り付けられる一対の支持具の間に棒状の握り部材の両端部が嵌合されて形成される把手であって、前記支持具のそれぞれは、前記本体から延出する方向に対する外周面であって前記握り部材の長手方向に対して側面となる二面のうちの一面にのみ記号が表示され、かつ、前記握り部材を隔てて対向する支持具と同じ形状とされ、前記支持具の延出方向と平行であって前記握り部材の中央部を通る仮想軸を中心として前記記号を含めて２回回転対称となるようにされたことを特徴とする。
なお、本明細書において、２回回転対称とは、一つの立体図形を一定軸のまわりに１８０°回転移動させて初めて同じ立体図形になる性質をいうものとする。
【０００７】
本把手は、一対の支持具と握り部材とが別部材とされているので、支持具間の間隔を変える際に握り部材を変えるだけでよく、把手全体を変更する必要が無い。また、両支持具は、同じ形状とされているので、同じ部材で済む。従って、把手を低コストで製造することができる。
さらに、本把手は支持具の延出方向と平行であって握り部材の中央部を通る仮想軸を中心として記号を含めて２回回転対称とされているので、把手の片面には一方の支持具の記号のみが表示される。これにより、把手の片面に記号が両方の支持具に表示されるといった煩雑さが生じないため、ロゴ等の記号が把手に美しく表示される。加えて、取り付けられる支持具が握り部材の中央部を通る仮想軸を中心として２回回転対称とされているので、支持具の配置が天地逆、左右逆にならない。
【０００８】
本発明において、例えば握り部材の長手方向を水平方向に向けた把手が本体の鉛直面部分に取り付けられた場合、支持具において本体から延出する方向に対する外周面であって握り部材の長手方向に対して側面となる二面は上面と下面になり、各支持具は上面と下面のうちの一面にのみ記号が表示されればよい。ここで、握り部材を隔てて対向する両支持具は互いに同じ形状とされているので、一方の支持具では上面にのみ記号が表示され、他方の支持具では下面にのみ記号が表示される。
【０００９】
請求項に係る発明において、棒状の握り部材には、角柱状や円柱状のような中実の柱状部材、角柱パイプ状や円筒状のような筒状部材、のいずれも含まれる。
上記本体には、キャビネット、引き出し、扉など、種々の家具や建具等が考えられる。
支持具の延出方向と平行であって握り部材の中央部を通る仮想軸を中心として記号を含めて２回回転対称となるようにされたことには、一対の支持具を取り付ける部分の本体に臨んだときに記号が見える状態で把手が２回回転対称であることの他、該部分の本体に臨んだときに記号が隠れるものの記号の位置が２回回転対称である場合が含まれる。
上記記号には、立体的な形状の記号の他、シールに付された記号や印刷された記号といった平面的な形状の記号も含まれる。本明細書において、平面的な形状の記号を含めて２回回転対称であるとは、把手を仮想軸のまわりに１８０°回転移動させたときに記号が同じ位置に同じ表示態様で表示されることをいうものとする。
なお、上記把手を有する本体にも発明が存在し、当該発明も上述した作用、効果を奏する。
【発明の効果】
【００１０】
以上説明したように、本発明によれば、低コストで製造することができ、支持具にロゴ等の記号を美しく表示することができ、支持具の天地、左右に気を付けなくても容易に組み付けることが可能な把手を提供することができる。
【発明を実施するための最良の形態】
【００１１】
（１）把手の構成：
図１は、本発明の一実施形態に係る把手を取り付けたシステムキッチンＳ１の要部を示している。システムキッチンＳ１は、把手１００〜１０２を取り付けたフロアキャビネットＳ２〜Ｓ４等の複数の構成要素が集合して形成される。本発明の把手は、長手方向を左右水平に向けてキャビネットＳ２の引き出しの前板に取り付けられると好適であるものの、長手方向を上下に向けて幅狭のキャビネットＳ３の引出ユニットの前板に取り付けられたり、幅広のキャビネットＳ４の開き戸に取り付けられたりしてもよい。これらのキャビネットＳ２〜Ｓ４は、本発明にいう本体となる。
【００１２】
図１と図２に示すように、把手１００は、一対の支持具１０，２０と握り部材３０とを有するバーハンドル型の把手とされている。支持具１０，２０は、操作対象の本体Ｓ２に対して外方へ延出して取り付けられる。図示の例では、本体Ｓ２において把手１００を取り付ける面が鉛直面とされ、左右の支持具１０，２０の延出方向Ｄ１は水平な手前の方向とされている。握り部材３０は、棒状とされ、両端部３０ａ，３０ｂが支持具１０，２０に嵌合されて支持具１０，２０の間に設けられる。図示の例では、握り部材３０の長手方向Ｄ２は、水平な左右方向とされている。
【００１３】
一方の支持具１０は、本体Ｓ２から延出する方向（延出方向Ｄ１）に対する外周面であって握り部材の長手方向Ｄ２に対して側面となる二面１０ｃ，１０ｄのうちの一面（上面１０ｃ）にのみ記号１２が表示されている。他方の支持具２０は、延出方向Ｄ１に対する外周面であって握り部材の長手方向Ｄ２に対して側面となる二面２０ｃ，２０ｄのうちの一面（下面２０ｄ）にのみ記号２２が表示されている。また、握り部材３０を隔てて対向する両支持具１０，２０は、同じ形状とされている。
ここで、支持具１０，２０の延出方向Ｄ１に対する外周面は、基部１０ｂ，２０ｂと先端部１０ａ，２０ａとを結ぶ仮想の軸をとり巻く面であり、上面１０ｃ，２０ｃ、対向面１０ｅ，２０ｅ、下面１０ｄ，２０ｄ、長手方向外側面１０ｆ，２０ｆとなる。また、前記外周面であって支持具１０，２０の長手方向Ｄ２に対する側面は、長手方向Ｄ２に向いて内部を通る仮想の軸と交わらない面であり、上面１０ｃ，２０ｃと下面１０ｄ，２０ｄの二面となる。支持具１０，２０は同形状であるので、一方の支持具１０の上面１０ｃに記号が表示されていれば他方の支持具２０の下面２０ｄに記号が表示され、一方の支持具１０の下面１０ｄに記号が表示されていれば他方の支持具２０の上面２０ｃに記号が表示されることになる。
【００１４】
本把手１００は、一対の支持具１０，２０を取り付ける部分の本体Ｓ２に臨んだときに、記号１２，２２を含めて握り部材３０の中央部ＣＥ１を中心として２回回転対称となる形状とされている。ここで、支持具を取り付ける部分の本体Ｓ２に臨む向きＤ３は支持具１０，２０の延出方向Ｄ１とは反対の向きであり、握り部材の中央部ＣＥ１を通る２回回転対称の仮想軸ＡＸ１は支持具の延出方向Ｄ１と平行である。従って、把手１００は、記号１２，２２を含めて、仮想軸ＡＸ１を中心として２回回転対称となるようにされていると言える。
【００１５】
支持具１０，２０や握り部材３０の材質は、特に限定されず、アルミニウム合金、亜鉛合金、銅合金等の金属、ＡＢＳ等の樹脂成形材料、等とすることができる。
【００１６】
図示の支持具１０，２０は、外観が略四角柱状に形成され、握り部材３０を挟み込んだ状態で基部１０ｂ，２０ｂが本体Ｓ２に当接して該本体に取り付けられる。その際、例えば、基部１０ｂ，２０ｂに形成されたねじ孔１０ｂ１，２０ｂ１にねじを螺合して本体にねじ止めすることにより、支持具１０，２０が本体に固定される。むろん、支持具の固定方法は、ねじ止め以外の固定方法でもよい。
【００１７】
本実施形態では、支持具１０，２０の先端部１０ａ，２０ａ側の対向面１０ｅ，２０ｅに握り部材の長手方向Ｄ２外側へ凹んだ凹部（支持具１０では凹部１４）が形成されている。握り部材３０は、外観が角を丸くした略四角柱状に形成され、支持具１０，２０の凹部の開口部が握り部材３０の断面形状に合わせた略正方形とされている。
【００１８】
支持具１０，２０の凹部の中心部には、握り部材３０の方向へ突出した略円柱状の軸部１６，２６が形成されている。これらの軸部１６，２６の側面には、それぞれ該軸部の径方向外側へ向かって延出した複数本の突条１７，２７が握り部材の長手方向Ｄ２に向かって連続して形成されている。一方、握り部材の両端部３０ａ，３０ｂには軸部１６，２６の断面形状に合わせた穴３２がそれぞれ形成され、各穴３２の内側面にはそれぞれ突条１７，２７の断面形状に合わせて穴３２の径方向外側へ向かう複数本の切れ込み３３が握り部材の長手方向Ｄ２に向かって連続して形成されている。なお、穴３２は、握り部材３０を長手方向Ｄ２へ貫通した貫通穴とされてもよい。
以上により、各突条１７，２７が各切れ込み３３の位置となるように支持具の軸部１６，２６が握り部材の穴３２に挿入したうえで、握り部材の両端部３０ａ，３０ｂが支持具１０，２０の凹部に挿入して嵌合するようにされている。
なお、握り部材３０の側面に対して穴３２に連通するねじ穴を設け、支持具１０，２０と握り部材３０とを嵌合させた状態でねじ穴にねじを螺合させて支持具１０，２０と握り部材３０とを固定してもよい。
【００１９】
また、図１の左側となる支持具１０は、上面１０ｃに記号１２が刻印される一方、下面１０ｄに記号は刻印されていない。逆に、図１の右側となる支持具２０は、下面２０ｄに記号２２が刻印される一方、上面２０ｃに記号は刻印されていない。ここで、支持具１０，２０は、同じ形状であるので、握り部材の中央部を通る仮想軸ＡＸ１を中心として記号１２，２２を含めて２回回転対称となるように配置される。
【００２０】
図では記号を「Ａ」という文字で示したが、記号は、文字でも図形でもよく、会社名、商品名、商標といったロゴ等が考えられる。本実施形態の支持具１０，２０は、記号１２，２２が刻印されることにより表示され、外観が良好とされている。支持具に刻印を形成するのは、支持具を成形するのと同時でもよいし、支持具を成形した後でもよい。支持具をインジェクション成形やダイキャスト成形で製造する場合には、成形時に凹部（凹部１４）や凸部（軸部１６，２６）を形成するのと同時に刻印を形成することができるため、支持具の製造コストを低減させることができる。
なお、外観を良好にさせる観点から記号を刻印するのが好適であるものの、記号が表示されたシールを成形後の支持具に後工程で貼ってもよい。また、コスト低減の観点から記号を刻印するのが好適であるものの、成形後の支持具に記号を印刷してもよい。
【００２１】
握り部材３０は、両端部３０ａ，３０ｂが同じ形状とされていずれも支持具１０，２０の両方に嵌合可能とされ、中央部ＣＥ１を中心として２回回転対称となる形状とされている。
【００２２】
以上の構成を有する把手１００は、例えば、以下のようにして形成され、本体Ｓ２に取り付けられる。
まず、握り部材の両端部３０ａ，３０ｂを支持具１０，２０の凹部に挿入して該支持具に嵌合させる。次に、支持具１０，２０で握り部材３０を挟んだ状態で該支持具を本体Ｓ２にねじ止めすることにより、握り部材３０と本体Ｓ２とに隙間ＣＬ１が形成された状態で把手１００が本体Ｓ２に固定される。
【００２３】
（２）把手の作用、効果：
以下、本把手の作用、効果を説明する。
本把手１００は、支持具１０，２０と握り部材３０とが別部品とされているので、長手方向Ｄ２の長さを変える際に握り部材３０の長さを変えるだけでよく、把手全体を変更する必要が無い。また、両支持具１０，２０は、同形状とされ、同じ部品に共通化されている。従って、把手の製造コストを低く抑えることができる。
【００２４】
さらに、支持具１０，２０が同形状とされ、本把手１００は支持具の延出方向Ｄ１と平行であって握り部材の中央部ＣＥ１を通る仮想軸ＡＸ１を中心として記号１２，２２を含めて２回回転対称となるようにされている。これにより、把手１００の上側には記号１２のみが現れ、記号２２は把手１００の下側に隠れる。このように、把手の片面に一方の記号のみが現れるので、煩雑とならずに記号が支持具に美しく表示される。
また、両支持具１０，２０が握り部材の中央部を通る仮想軸ＡＸ１を中心として２回回転対称に配置されるので、図１に示す把手を１８０°回転させて本体に取り付けた様子を示した図３を見ると分かるように、左右の支持具１０，２０が逆に配置されても把手全体の形状は同じであり、把手１００の上側には左側の支持具にのみ記号が現れる。従って、支持具を天地逆、左右逆に取り付けるようなことが生じない。
以上説明したように、本把手によると、把手を低コストで製造することができ、記号を美しく表示することができ、支持具の天地、左右に気を付けなくても本体に対して把手を容易に組み付けることが可能になる。
【００２５】
なお、図１のキャビネットＳ３に取り付けられた把手１０１のように、握り部材の長手方向を鉛直方向に向けた把手が本体の鉛直面部分に取り付けられた場合、支持具において本体から延出する方向に対する外周面であって握り部材の長手方向に対して側面となる二面は左面と右面になる。この場合、把手の右側を見たときに把手の右側には一方の記号のみが現れ、他方の記号は把手の左側に隠れる。逆に、把手の左側を見たときに把手の左側には一方の記号のみが現れ、他方の記号は把手の右側に隠れる。いずれにしても、把手の片面に一方の記号のみが現れるので、煩雑とならずに記号が支持具に美しく表示される。
【００２６】
（３）変形例：
本発明の把手は、種々の変形例が考えられる。
本把手が取り付けられる本体には、システムキッチンのキャビネット以外にも、洗面化粧台のキャビネット等が考えられる。
支持具と握り部材との嵌合構造は、支持具１０，２０に凹部を形成して握り部材の端部３０ａ，３０ｂを挿入して嵌合する構造以外にも、握り部材の端面に突出部を形成し支持具の対向面に穴部を形成して握り部材の突出部を支持具の穴部に挿入して嵌合する構造等でもよい。
【００２７】
また、記号を表示する支持具の面は、平面以外にも、曲面等でもよい。
例えば、図４に示す把手２００のように、支持具１１０，１２０が略円柱状に形成されている場合、支持具１１０，１２０の延出方向に対する外周面１１１，１２１であって握り部材１３０の長手方向Ｄ２に対して側面となる二面は、上から見える上面部１１１ａ，１２１ａと、下から見える下面部１１１ｂ，１２１ｂとなる。そして、上面部１１１ａ，１２１ａの一方（上面部１１１ａ）と下面部１１１ｂ，１２１ｂの一方（下面部１２１ｂ）に記号１１２，１２２が表示されていればよい。
【００２８】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００２９】
【図１】本体に取り付けられた把手の例を示す斜視図。
【図２】一対の支持具と握り部材との嵌合構造の一例を示す分解斜視図。
【図３】図１に示す把手を１８０°回転させて本体に取り付けた様子を示す斜視図。
【図４】本体に取り付けられた把手の変形例を示す正面図。
【符号の説明】
【００３０】
１０，２０…支持具、１０ｃ，２０ｃ…上面、１０ｄ，２０ｄ…下面、
１２，２２…記号、
３０…握り部材、
１００，１０１，１０２，２００…把手、
ＣＥ１…中央部、ＣＬ１…隙間、
Ｄ１…延出方向、Ｄ２…長手方向、
Ｓ１…システムキッチン、Ｓ２〜Ｓ４…キャビネット（本体）、
【図１】
2008183120.tif 000003
【図２】
2008183120.tif 000004
【図３】
2008183120.tif 000005
【図４】
2008183120.tif 000006